【事件の表示】
　商願２０１７−１２０７２８拒絶査定不服審判事件について，次のとおり審決する。
【結　論】
　原査定を取り消す。
　本願商標は，登録すべきものとする。
【理　由】
１　本願商標 
　本願商標は，別掲１のとおりの構成よりなり，第１類「化学品，非鉄金属，非金属鉱物，植物成長調整剤類，高級脂肪酸，人工甘味料，パルプ」，第６類「鉄及び鋼，レアメタル地金・その他の非鉄金属及びその合金，金属鉱石，建築用又は構築用の金属製専用材料，金属製建造物組立てセット，金属製金具，金属製建具」，第３５類「外国貿易に関する情報の提供並びに指導及び助言，経営の診断又は経営に関する助言，市場調査又は分析，商品の販売に関する情報の提供，輸出入に関する事務の代理又は代行，コンピュータデータベースへの情報編集，職業のあっせん，求人情報の提供，競売の運営（中古品及びリサイクル品を含む）」及び第４０類「リサイクル品・中古品又は廃棄物の収集・分別及び処分，リサイクル品・中古品又は廃棄物の再生，リサイクル品・中古品又は廃棄物圧縮装置の貸与，リサイクル品・中古品又は廃棄物破砕装置の貸与，材料処理情報の提供，金属の加工，金属加工機械器具の貸与，受託によるＤＮＡ・ペプチド・化学物質の合成及びこれに関する媒介又は取次ぎ」を指定商品及び指定役務として，平成２９年９月１２日に登録出願されたものである。
２　引用商標
　原査定において，本願商標が商標法第４条第１項第１１号に該当するとして本願の拒絶の理由に引用した登録商標は，以下のとおりであり，いずれも現に有効に存続しているものである。
　なお，以下の登録商標をまとめて「引用商標」という。
（１）国際登録第８７４２２６号商標（以下「引用商標１」という。）
商標の構成：別掲２のとおり
国際商標登録出願日：２００５年（平成１７年）１２月２日
設定登録日：平成２０年５月１６日
指定商品及び指定役務：第１４類「Precious metals and their alloys and goods in precious metals or coated therewith, not included in other classes; jewellery, precious stones; horological and chronometric instruments.」，第３５類「Advertising; business management; business administration; office functions.」及び第３９類に属する国際登録に基づく商標権に係る商標登録原簿記載のとおりの役務
（２）国際登録第１１６５２３３号商標（以下「引用商標２」という。）
商標の構成：別掲３のとおり
国際商標登録出願日：２０１３年（平成２５年）４月２６日
設定登録日：平成２６年９月５日
指定商品及び指定役務：第１４類「Precious stones，horological and chronometric instruments; jewellery, including jewelry with diamonds, paste jewellery; semi-precious stones.」並びに第３５類及び第４０類に属する国際登録に基づく商標権に係る商標登録原簿記載のとおりの役務
（３）国際登録第１１６５２３４号商標（以下「引用商標３」という。）
商標の構成：別掲４のとおり
国際商標登録出願日：２０１３年（平成２５年）４月２６日
設定登録日：平成２６年９月５日
指定商品及び指定役務：第１４類「Precious stones, horological and chronometric instruments; jewellery, including jewelry with diamonds, paste jewellery; semi-precious stones.」並びに第３５類及び第４０類に属する国際登録に基づく商標権に係る商標登録原簿記載のとおりの役務
（４）国際登録第１２４０４７７号商標（以下「引用商標４」という。）
商標の構成：別掲５のとおり
国際商標登録出願日：２０１４年（平成２６年）１２月２３日
設定登録日：平成２８年８月５日
指定商品及び指定役務：第１４類「Precious metals, unwrought and semi-wrought; keyrings [trinkets or fobs] of precious metal; statues of precious metal; jewellery cases [caskets] of precious metal; boxes of precious metal; ornaments [jewellery, jewelry (Am.)]; shoe ornaments of precious metal; jewellery; costume jewellery.」及び第３５類「Advertising; business management; business administration; office functions; marketing studies; demonstration of goods; presentation of goods on communication media, for retail purposes; sales promotion for others, including sales promotion of brilliants for others.」並びに第１６類及び第４０類に属する国際登録に基づく商標権に係る商標登録原簿記載のとおりの商品及び役務
（５）国際登録第１２４０５６２号商標（以下「引用商標５」という。）
商標の構成：別掲６のとおり
国際商標登録出願日：２０１４年（平成２６年）１２月２３日
設定登録日：平成２８年８月５日
指定商品及び指定役務：第１４類「Precious metals, unwrought and semi-wrought; keyrings [trinkets or fobs] of precious metal; statues of precious metal; jewellery cases [caskets] of precious metal; boxes of precious metal; ornaments [jewellery, jewelry (Am.)]; shoe ornaments of precious metal; jewellery; costume jewellery.」，第３５類「Advertising; business management; business administration; office functions; marketing studies; demonstration of goods; presentation of goods on communication media, for retail purposes; sales promotion for others, including sales promotion of brilliants for others.」，第４２類「Scientific and technological research and development; computer software design; industrial design; industrial analysis and research services; design and development of computer hardware and software; chemical analysis; material testing; geological research; oil-field surveys; geological surveys; scientific research; analysis for oil-field exploitation; geological prospecting.」並びに第３７類及び第４０類に属する国際登録に基づく商標権に係る商標登録原簿記載のとおりの役務
（６）国際登録第１２４１０６３号商標（以下「引用商標６」という。）
商標の構成：別掲７のとおり
国際商標登録出願日：２０１４年（平成２６年）１２月２３日
設定登録日：平成２８年８月５日
指定商品及び指定役務：第１４類「Precious metals, unwrought and semi-wrought; keyrings [trinkets or fobs] of precious metal; statues of precious metal; jewellery cases [caskets] of precious metal; boxes of precious metal; ornaments [jewellery, jewelry (Am.)]; shoe ornaments of precious metal; jewellery; costume jewellery.」，第３５類「Advertising; business management; business administration; office functions; marketing studies; demonstration of goods; presentation of goods on communication media, for retail purposes; sales promotion for others, including sales promotion of brilliants for others.」，第４２類「Scientific and technological research and development; computer software design; industrial design; industrial analysis and research services; design and development of computer hardware and software; chemical analysis; material testing; geological research; oil-field surveys; geological surveys; scientific research; analysis for oil-field exploitation; geological prospecting.」並びに第３７類及び第４０類に属する国際登録に基づく商標権に係る商標登録原簿記載のとおりの役務
（７）国際登録第１２４２２４７号商標（以下「引用商標７」という。）
商標の構成：別掲８のとおり
国際商標登録出願日：２０１４年（平成２６年）１２月２３日
設定登録日：平成２８年６月２４日
指定商品及び指定役務：第１４類「Precious metals, unwrought and semi-wrought; keyrings [trinkets or fobs] of precious metal; statues of precious metal; jewellery cases [caskets] of precious metal; boxes of precious metal; ornaments [jewellery, jewelry (Am.)]; jewellery; costume jewellery; precious stones; horological and chronometric instruments; diamonds; precious stones, including brilliants.」，第３５類「Advertising; business management; business administration; office functions; marketing studies; demonstration of goods; presentation of goods on communication media, for retail purposes; sales promotion for others, including sales promotion of brilliants for others.」，第４２類「Scientific and technological research and development; computer software design; industrial design; industrial analysis and research services; design and development of computer hardware and software; chemical analysis; material testing; geological research; oil-field surveys; geological surveys; scientific research; analysis for oil-field exploitation; geological prospecting.」並びに第３７類及び第４０類に属する国際登録に基づく商標権に係る商標登録原簿記載のとおりの役務
３　当審の判断
（１）本願商標について 
　本願商標は，別掲１のとおり，黒色の正六角形の内部に白色の正三角形をその頂点の一つを上として頂点同士が接するように配した図形よりなるところ，全体として，一般に親しまれた事物を表したものということはできないから，これより，特定の称呼及び観念は生じない。
（２）引用商標について
　ア　引用商標１は，別掲２のとおり，横に接するように並べた２つの黒色の正六角形の内部に下向きと上向きの白色の正三角形をそれぞれ配した図形（以下「引用図形Ａ」という（色彩を同一にするものとすれば，同一と認め得る態様のものも含む。）。）よりなるところ，全体として，一般に親しまれた事物を表したものということはできないから，これより，特定の称呼及び観念は生じない。
　イ　引用商標２は，別掲３のとおり，正六角形の輪郭内上部に引用図形Ａを配し，その下部に「ＡＬＲＯＳＡ」及び「ＡＬＬＩＡＮＣＥ」の文字を上下二段に表してなるところ，視覚上，引用図形Ａと文字部分とに分離して看取し得るものである。
　そして，その構成中の引用図形Ａは，上記アのとおり，特定の称呼及び観念は生じないものである。他方，文字部分を構成する「ＡＬＲＯＳＡ」の文字は，一般的な辞書等に掲載されている語ではない造語であり，また，「ＡＬＬＩＡＮＣＥ」の文字は，「同盟，連合，提携」ほどの意味を有する語である（「ベーシックジーニアス英和辞典」株式会社大修館書店）。
　そうすると，引用商標２は，引用図形Ａと文字部分が視覚的に分離して看取し得ることに加え，称呼及び観念において密接な関連性を有しているとはいえないことから，引用図形Ａと文字部分それぞれを分離して観察することが取引上不自然であると思われるほど不可分的に結合しているものとはいえないものである。
　よって，引用商標２を構成する引用図形Ａと文字部分は，各々，自他商品役務識別標識としての機能を有するものと認められることから，引用商標２から，引用図形Ａのみを要部として抽出し，当該図形のみを本願商標と比較して商標そのものの類否を判断することが許されるものであり，当該図形からは特定の称呼及び観念は生じない。
　ウ　引用商標３は，別掲４のとおり，引用商標２の白黒を反転させた態様からなるところ，上記イと同様に，要部である引用図形Ａのみを本願商標と比較して商標そのものの類否を判断することが許されるものであり，当該図形からは特定の称呼及び観念は生じない。
　エ　引用商標４は，別掲５のとおり，黒色の正六角形内に，２つの白色の正六角形を僅かな隙間をあけて横に並べ，その内部に下向きと上向きの黒色の正三角形をそれぞれ配した図形（以下「引用図形Ｂ」という（色彩を同一にするものとすれば，同一と認め得る態様のものも含む。）。）を上部に表し，その下部に「ＡＬＲＯＳＡ」（語頭及び語尾の「Ａ」の文字はややデザイン化されている。以下，引用商標５ないし引用商標７も同じ。）及び「ＡＬＬＩＡＮＣＥ」の文字を上下二段に表してなる態様である。
　そして，その構成中の引用図形Ｂは，一般に親しまれた事物を表したものということはできないから，これより，特定の称呼及び観念は生じないものである。
　そうすると，引用商標４は，上記イと同様に，要部である引用図形Ｂのみを本願商標と比較して商標そのものの類否を判断することが許されるものであり，当該図形からは特定の称呼及び観念は生じない。
　オ　引用商標５は，別掲６のとおり，引用図形Ｂ及びその右横に「ＡＬＲＯＳＡ」の文字を配してなるところ，引用図形Ｂと「ＡＬＲＯＳＡ」の文字部分は，視覚的に分離して看取し得ることに加え，観念的に密接な関連性を有しているとはいえず，一連一体の称呼が生じるともいえないことから，引用図形Ｂと文字部分それぞれを分離して観察することが取引上不自然であると思われるほど不可分的に結合しているものとはいえないものである。
　よって，引用図形Ｂのみを要部として抽出し，本願商標と比較して商標そのものの類否を判断することが許されるものであり，当該図形からは特定の称呼及び観念は生じない。
　カ　引用商標６は，別掲７のとおり，黒色の長方形内に，引用図形Ｂ及び「ＡＬＲＯＳＡ」の文字を上下二段に表してなるところ，上記オと同様に，要部である引用図形Ｂのみを本願商標と比較して商標そのものの類否を判断することが許されるものであり，当該図形からは特定の称呼及び観念は生じない。
　キ　引用商標７は，別掲８のとおり，引用図形Ｂ及び「ＡＬＲＯＳＡ」の文字を青色で上下二段に表してなるところ，上記オと同様に，要部である青色で表された引用図形Ｂのみを本願商標と比較して商標そのものの類否を判断することが許されるものであり，当該図形からは特定の称呼及び観念は生じない。
（３）本願商標と引用商標との類否について
　ア　本願商標と引用商標１ないし引用商標３の要部である引用図形Ａとを比較すると，本願商標は，黒色の正六角形の内部に白色の正三角形を配した図形であり，また，引用図形Ａは，正三角形を内包する２つの正六角形の一辺が接していることから一つの図形として表されているものであって，その全体の構成及び受ける印象が明らかに異なるものであり，離隔的に観察しても，外観上，相紛れることなく別異のものとして認識し，把握されるというべきである。
　よって，本願商標と引用商標１ないし引用商標３の要部である引用図形Ａとは，いずれも称呼及び観念が生じないものであるから，称呼及び観念においては比較することができないものの，外観においては，明確に区別できるものであるから，これらを総合的に考察すれば，両者は，相紛れるおそれのない非類似の商標というべきものである。
　イ　本願商標と引用商標４ないし引用商標７の要部である引用図形Ｂとを比較すると，引用図形Ｂを構成する図形の一部が，本願商標と同一又は類似の図形であるとしても，引用図形Ｂはまとまりよく一体的に表されているものであり，その構成中の右側図形のみを独立して自他商品役務の識別標識として機能する要部とみるべき格別の事情は見いだせないから，当該右側図形のみを分離抽出して，これを他の商標と比較し，その類否を判断することは許されないというべきである。
　そうすると，本願商標と引用商標４ないし引用商標７の要部である引用図形Ｂとは，その全体の構成及び受ける印象が明らかに異なるものであり，離隔的に観察しても，外観上，相紛れることなく別異のものとして認識し，把握されるというべきである。
　よって，本願商標と引用商標４ないし引用商標７の要部である引用図形Ｂとは，いずれも称呼及び観念が生じないものであるから，称呼及び観念においては比較することができないものの，外観においては，明確に区別できるものであるから，これらを総合的に考察すれば，両者は，相紛れるおそれのない非類似の商標というべきものである。
　ウ　その他，本願商標と引用商標とが類似する商標であるとすべき理由は見いだせない。
　エ　してみれば，本願商標と引用商標とは，相紛れるおそれのない非類似の商標というべきである。
（４）まとめ
　以上のとおり，本願商標と引用商標とは非類似の商標であるから，本願商標が商標法第４条第１項第１１号に該当するとして本願商標を拒絶した原査定は，取消しを免れない。
　その他，本願について拒絶の理由を発見しない。 
　よって，結論のとおり審決する。